(57)【要約】【課題】手挿入の時に手が噴出ノズルや手乾燥室に触れ、清潔感を損なう恐れがあり、かつ高速噴流によって吹き飛ばした水滴が周囲に飛散するという課題があり、手を乾燥させる処理空間を大きくとることで、清潔感を向上させ、かつ水滴回収手段を設けることで水滴飛散を防止することができることを目的としている。【解決手段】開口部１２は処理空間４の正面８および上面１０にあり、手に付着した水分が使用者に飛ばないように処理空間４の下面から噴き出す噴出ノズルを持ち、手から除去した水滴を回収する水受け３を本体壁面部６に設けたのものであり、処理空間４を広く取ることで手挿入時に障害となるものがないため、自然に手を入れやすくすることができる。しかもメンテナンスをする際には処理空間４は大きく開口しているため清掃は容易にできるという作用を有する。【選択図】図１
2006187435.tif 000002
【特許請求の範囲】
【請求項１】
濡れた手に対して噴流ノズルにより生成される作動気流を吹き当てる処理空間を備え、前記処理空間は手を出し入れする開口部を備え、作動気流の運動エネルギ−により手に付着した水分を除去するように構成した手乾燥装置であって、前記開口部は処理空間の正面および上面にあり、手に付着した水分が使用者に飛ばないように処理空間の下面から噴き出す前記噴出ノズルを持ち、手から除去した水滴を回収する水滴回収手段を本体壁面部に設けたことを特徴とする手乾燥装置。
【請求項２】
噴出ノズルが処理空間の背面に噴き出すように設けたことを特徴とする請求項1記載の手乾燥装置。
【請求項３】
メンテナンスする部品を上方から着脱できることを特徴とする請求項１および請求項２記載の手乾燥装置。
【請求項４】
吸込口が噴出ノズルより高い位置に設置することを特徴とする請求項１から請求項３記載の手乾燥装置。
【請求項５】
吸込口が送風手段より高い位置に設置することを特徴とする請求項１から４記載の手乾燥装置。
【請求項６】
フィルターを本体上面部に設置する構成としたことを特徴とする請求項１から５記載の手乾燥装置。
【請求項７】
ドレンタンクを床面から１ｍ以上に設置する構成としたことを特徴とする請求項１から６記載の手乾燥装置。
【請求項８】
ドレンタンクを本体側面部から取り出しできることを特徴とする請求項１から７記載の手乾燥装置。
【請求項９】
ドレンタンクの開口間隔よりも深さが長いことを特徴としたことを特徴とする請求項１から８記載の手乾燥装置。
【請求項１０】
除去した水滴を処理空間の背面に当てるようにすることを特徴とする請求項１から９記載の手乾燥装置。
【請求項１１】
処理空間の背面の一部又は全体を傾斜させることを特徴とする請求項１から１０記載の手乾燥装置。
【請求項１２】
処理空間の背面の一部又は全体を曲面とすることを特徴とする請求項１から１１記載の手乾燥装置。
【発明の詳細な説明】
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、高速風により乾燥する方式としたものが知られている（例えば、特許文献１〜３参照）。以下、その手乾燥装置について図５〜１０を参照しながら説明する。図５および図６に示すように、壁面に固定された本体１０１は、下部に高速噴流を噴き出す噴出ノズル１０２と前記噴出ノズル１０２から高速噴流を噴き出す方向に設置された水滴回収手段である水受け１０３を付属している。前記噴出ノズル１０２と前記水受け１０３の間に手を挿入して乾燥させるための処理空間１０４が形成される。本体１０１内には送風手段１０５、発熱手段１０６および制御手段１０７が設けられている。処理空間１０４の中に挿入された手を検知して送風手段１０５および発熱手段１０６に通電するための検知手段１０８を本体１０１の一部に付属している。
【０００３】
上記構成において濡れた手を処理空間１０４に挿入すると、検知手段１０８により手の存在を検知して、送風手段１０５および発熱手段１０６を動作させる。これにより本体下部に設置された吸込口１０９から外部空気を吸込み、送風手段１０５と発熱手段１０６を経由して温風が形成されて噴出ノズル１０２より送風される。このとき差し出した手に温風が当たり、手を乾燥させる。手を引っ込めると検知手段１０８の検出がなくなるので、送風手段１０５および発熱手段１０６は停止する。このような運転の作業を制御手段１０７にて実施する。
【０００４】
手から離れた水滴は水受け１０３に集められるが、噴出ノズル１０２の送風により飛散しやすくなるため、水受け１０３の前部および側部の突出壁１１０を付属して周囲への飛散を防止する構成になっている。また水受けにて回収した水滴は、水受けにあるドレン穴１１１を通過して、ドレンタンク１１２に一定の量を溜められる。ドレンタンク１１２は定期的にメンテナンスされ回収された水滴を廃棄するようになっている。
【０００５】
また、図７および図８に示すように、水滴回収手段を付属しないものもある。壁面に固定された本体２０１は、下部に高速噴流を噴き出す噴出ノズル２０２を付属している。前記噴出ノズル２０２の下方に手を挿入して乾燥させるための処理空間２０４が本体下方の自由空間に形成される。本体２０１内には送風手段２０５、発熱手段２０６および制御手段２０７が設けられている。処理空間２０４の中に挿入された手を検知して送風手段２０５および発熱手段２０６に通電するための検知手段２０８を本体２０１の一部に付属している。
【０００６】
上記構成において濡れた手を処理空間２０４に挿入すると、検知手段２０８により手の存在を検知して、送風手段２０５および発熱手段２０６を動作させる。これにより本体下部に設置された吸込口２０９から外部空気を吸込み、送風手段２０５と発熱手段２０６を経由して温風が形成されて噴出ノズル２０２より送風される。このとき差し出した手に温風が当たり、手を乾燥させる。手を引っ込めると検知手段２０８の検出がなくなるので、送風手段２０５および発熱手段２０６は停止する。このような運転の作業を制御手段２０７にて実施する。
【０００７】
また、図９および図１０に示すように、壁面に固定された本体３０１は、高速噴流を噴き出す噴出ノズル３０２を対に対峙した形で付属している。前記噴出ノズル３０２の対峙した空間に手を挿入して乾燥させるための処理空間３０４が本体内部に形成される。その処理空間３０４の下方に水滴回収手段である水受け３０３を付属している。本体３０１内には送風手段３０５および制御手段３０７が設けられている。処理空間３０４の中に挿入された手を検知して送風手段３０５に通電するための検知手段３０８を本体３０１の一部に付属している。
【０００８】
上記構成において濡れた手を処理空間３０４に挿入すると、検知手段３０８により手の存在を検知して、送風手段３０５を動作させる。これにより本体下部に設置された吸込口３０９から外部空気を吸込み、送風手段３０５を経由して風が形成されて噴出ノズル１０２より送風される。このとき差し出した手に風が当たり、手を乾燥させる。手を引っ込めると検知手段３０８の検出がなくなるので、送風手段３０５は停止する。このような運転の作業を制御手段３０７にて実施する。
【特許文献１】特開平１０−７１１０１号公報
【特許文献２】特開平７−２８９４７６号公報
【特許文献３】特開平５−２９３０５５号公報
【発明の開示】
【発明が解決しようとする課題】
【０００９】
このような従来の手乾燥装置では、手挿入の時に手が噴出ノズルや処理空間を形成する本体周辺に触れ、清潔感を損なう恐れがあり、かつ高速噴流によって吹き飛ばした水滴が周囲に飛散するという課題があり、またメンテナンスをする際に清掃部品などを着脱する際にしゃがむ必要があるという課題がある。本発明は、このような従来の課題を解決するものであり、手を乾燥させる処理空間を大きくとることで、清潔感を向上させ、かつ水滴回収手段を設けることで水滴飛散を防止することができ、またメンテナンスをする際に清掃部品などが本体上部にあるため着脱が容易にできることができる手乾燥装置を提供することを目的としている。
【課題を解決するための手段】
【００１０】
本発明の手乾燥装置は、上記目標を達成するため、濡れた手に対して噴流ノズルにより生成される作動気流を吹き当てる処理空間を備え、前記処理空間は手を出し入れする開口部を備え、作動気流の運動エネルギ−により手に付着した水分を除去するように構成した手乾燥装置であって、前記開口部は処理空間の正面および上面にあり、手に付着した水分が使用者に飛ばないように処理空間の下面から噴き出す前記噴出ノズルを持ち、手から除去した水滴を回収する水滴回収手段を本体壁面部に設けたことを特徴とする。
【００１１】
また、噴出ノズルが壁面側に噴き出すように設けたことを特徴とする。
【００１２】
また、メンテナンスする部品を上方から着脱できることを特徴とする。
【００１３】
また、吸込口が噴出ノズルより高い位置に設置することを特徴とする。
【００１４】
また、吸込口が送風手段より高い位置に設置することを特徴とする。
【００１５】
また、フィルターを本体の天面に設置する構成としたことを特徴とする。
【００１６】
また、ドレンタンクを床面から１ｍ以上に設置する構成としたことを特徴とする。
【００１７】
また、ドレンタンクを本体側面側から取り出しできることを特徴とする。
【００１８】
また、ドレンタンクの開口間隔よりも深さが長いことを特徴としたことを特徴とする。
【００１９】
また、除去した水滴を処理空間の壁面側に当てるようにすることを特徴とする。
【００２０】
また、処理空間の壁面を傾斜させることを特徴とする。
【００２１】
また、処理空間の壁面を曲面とすることを特徴とする。
【発明の効果】
【００２２】
本発明によれば、濡れた手に対して噴流ノズルにより生成される作動気流を吹き当てる処理空間を備え、前記処理空間は手を出し入れする開口部を備え、作動気流の運動エネルギ−により手に付着した水分を除去するように構成した手乾燥装置であって、前記開口部は処理空間の正面および上面にあり、手に付着した水分が使用者に飛ばないように処理空間の下面から噴き出す前記噴出ノズルを持ち、手から除去した水滴を回収する水滴回収手段を本体壁面部に設けたことにより、手を挿入するときに処理空間の周りには何もないため、清潔感がある。また掃除をするときにも障害物が少ないためやりやすく、本体の周辺を汚さないため、清掃に余分な時間をかけなくてもよい。しかも交換部品の着脱は用意であるため、メンテナンス時間を短縮することができるという効果のある手乾燥装置を提供できる。
【発明を実施するための最良の形態】
【００２３】
本発明の請求項１記載の発明は、濡れた手に対して噴流ノズルにより生成される作動気流を吹き当てる処理空間を備え、前記処理空間は手を出し入れする開口部を備え、作動気流の運動エネルギ−により手に付着した水分を除去するように構成した手乾燥装置であって、前記開口部は処理空間の正面および上面にあり、手に付着した水分が使用者に飛ばないように処理空間の下面から噴き出す前記噴出ノズルを持ち、手から除去した水滴を回収する水滴回収手段を本体壁面部に設けたものであり、処理空間を広く取ることで手挿入時に障害となるものがないため、自然に手を入れやすくすることができる。また水滴は水滴回収手段を持つため、水滴を壁や床面などの本体外部を汚すことがないようにできる。しかもメンテナンスをする際には水滴回収手段は大きく開口しているため清掃は容易にでき、着脱する必要のあるドレンタンクやフィルターを簡単に着脱することができるという作用を有する。
【００２４】
以下、本発明の実施の形態について図面を参照しながら説明する。
【００２５】
（実施の形態１）
図１に示すように、壁面に固定された本体１は、本体１の上部に高速噴流を使用者側と反対側の壁面側に噴き出す噴出ノズル２と前記噴出ノズル２から高速噴流を噴き出す方向に設置された水滴回収手段である水受け３を付属している。前記噴出ノズル２と前記水受け３の間に手を挿入して乾燥するための処理空間４が本体１に面して本体の上方付近の自由空間に形成される。処理空間４は、噴出ノズル２と水受け３によって構成される手を乾燥させるための空間である。本体が壁面に設置される場合の本体壁面部６と相対する面を本体正面部７とすると、処理空間４は本体正面部７側に正面８、その反対側を背面９、天井側を上面１０、床側を下面１１となって構成される。それぞれの面は平面だけでなく曲面などによって構成される。
【００２６】
したがって、前記噴出ノズル２から噴き出した噴流は、処理空間４の背面９に向かっていく。
【００２７】
開口部１２は、前記処理空間の複数の平面または曲面によって構成されており、例えば本形態では正面８および上面１０および処理空間４の側面１３が開口している。
【００２８】
前記本体１内には送風手段である高速ブロワ１４、発熱手段であるＰＴＣヒータ１５および制御手段である制御回路１６が設けられている。前記処理空間４の中に挿入された手を検知して前記高速ブロワ１４および前記ＰＴＣヒータ１５に通電するための検知手段であるセンサ１７を本体１の一部に付属している。
【００２９】
上記構成において濡れた手を前記処理空間４に挿入すると、前記センサ１７により手の存在を検知して、前記高速ブロワ１４および前記ＰＴＣヒータ１５を動作させる。これにより前記本体上面部５付近に設置された吸込口１９から外部空気を吸込み、前記高速ブロワ１４とＰＴＣヒータ１５を経由して温風が形成されて噴出ノズル２より送風される。このとき差し出した手に温風が当たり、手を乾燥させる。手を引っ込めるとセンサ１７の検出がなくなるので、前記高速ブロワ１４および前記ＰＴＣヒータ１５は停止する。このような運転の作業を制御回路１６にて実施する。
【００３０】
使用者側から手を自由に入れやすい前記開口部１２とは、使用者の手をどのような方向にしても手が自由に出入りできる開口空間を有していることであり、例えば手のひらを体の内側にむけたまま、前記処理空間４に手を入れる場合には、前記開口部１２が狭い場合は本体１の一部に手が接触または手を入れられない場合があり、このような状態の回避を行うことができる。
【００３１】
更に手を自由に入れやすい空間は、使用者の見た目にも清潔感を与えるため、心理的にも肉体的にも清潔性を向上している。
【００３２】
前記水受け３に手から分離して衝突した水滴は、前記水受け３からドレン穴２０を経由して、ドレンタンク２１に移動する。前記ドレンタンク２１には、水滴が一定の量は溜められる。前記ドレンタンク２１は定期的にメンテナンスされ回収された水滴を廃棄するようになっている。
【００３３】
前記ドレンタンク２１は定期的にメンテナンスされ回収された水滴を廃棄するようになっている。
【００３４】
本体上部の吸込口１９の本体内部には着脱可能なフィルター２３が設置されている。
【００３５】
したがって、前記ドレンタンクおよび前記フィルター２３は本体の上方から着脱できるようになっている。
【００３６】
なお、前記高速ブロワ１４は、一般的に掃除機などに使用される電動送風機であり、ブラシ付モータによるものおよびブラシレスモータによるものを含み、ターボファンを使用しモータの高速回転による温度上昇を冷却しながら送出するものである。
【００３７】
（実施の形態２）
実施の形態１と同一箇所には同じ番号をつけ、説明を省略する。
【００３８】
図２に示すようにドレンタンク２１は水受け３の直下にあるため交換が容易であり、本体側面部２２から取り出すことができる。
【００３９】
（実施の形態３）
実施の形態１および２と同一箇所には同じ番号をつけ、説明を省略する。
【００４０】
図３に示すようにドレンタンク２１は、水受け３にて回収した水滴をドレン穴２０を経由して溜めるため、前記ドレン穴２０より少なくとも大きい開口間隔２４が必要であるが、前記開口間隔２４が前記ドレンタンク２１の深さよりも長い場合は、溜まった水滴を廃却する際に床へこぼすなどの不具合が発生する可能性がある。したがって、前記開口間隔２４を前記ドレンタンク２１の深さより小さくしている。
【００４１】
水滴は、一般的に一人の人が水滴を除去すると約２ｃｃが回収される。したがって１日約２００人の人が使用すると、約４００ｃｃの水滴が溜まる。したがって一般の商業施設やパチンコ店、病院の外来、学校などで使用される場合は、十分に水滴が溜まることが予想される。この回収した水滴を廃却する作業は、１日に１回は必要となるため本実施の形態が有効である。
【００４２】
（実施の形態４）
実施の形態１から３と同一箇所には同じ番号をつけ、説明を省略する。
【００４３】
図４に示すように、噴出ノズル２から高速な噴流を濡れた手に噴き当てるを、水滴は噴出ノズル２からの噴流の進行方向に沿って吹き飛ばされる。これを処理空間４の背面９に当てるようにすることで確実に水滴を回収しようとするものである。処理空間４の背面９に当たらなければ水滴は本体を設置している壁面に当たるため、余分なメンテナンスが必要となる。
【００４４】
また、処理空間４の背面９は、一部または全体を傾斜させるか曲面をつけることで、当たった水滴が飛散しにくくなる利点がある。また噴流の吹き返りを防ぐことにもつながるため有効である。
【産業上の利用可能性】
【００４５】
本発明にかかる手乾燥手段は、本体上方が開口し、本体上方に天面方向への吹出口を持ち、手から除去した水滴を回収する水滴回収手段を壁面側に設けたことにより手を挿入するときに処理空間の周りには何もないため、清潔感がある。また掃除をするときにも障害物が少ないためやりやすく、本体の周辺を汚さないため、清掃に余分な時間をかけなくてもよい。しかも交換部品の着脱は用意であるため、メンテナンス時間を短縮することができるという効果がある。
【００４６】
よって、洗面所やトイレ等で手を洗い、濡れた手を乾燥させる手段等に有効であり、また、一般的に液体によって濡れたものを乾燥させる用途としても適用できる。
【図面の簡単な説明】
【００４７】
【図１】本発明の実施の形態１の構造を示す側断面図
【図２】本発明の実施の形態２の構造を示す上面図
【図３】本発明の実施の形態３の構造を示す側断面図
【図４】本発明の実施の形態４の斜視図
【図５】従来の手乾燥装置の一例を示す側断面図
【図６】同斜視図
【図７】従来の手乾燥装置の別の一例を示す側断面図
【図８】同斜視図
【図９】従来の手乾燥装置の別の一例を示す斜視図
【図１０】同断面図
【符号の説明】
【００４８】
１  本体
２  噴出ノズル
３  水受け
４  処理空間
５  本体上面部
６  本体壁面部
７  本体正面部
８  正面
９  背面
１０  上面
１１  下面
１２  開口部
１３  側面
１４  高速ブロワ
１５  ＰＴＣヒータ
１６  制御回路
１７  センサ
１８  本体下面側
１９  吸込口
２０  ドレン穴
２１  ドレンタンク
２２  本体側面部
２３  フィルター
２４  開口間隔
【図１】
2006187435.tif 000003
【図２】
2006187435.tif 000004
【図３】
2006187435.tif 000005
【図４】
2006187435.tif 000006
【図５】
2006187435.tif 000007
【図６】
2006187435.tif 000008
【図７】
2006187435.tif 000009
【図８】
2006187435.tif 000010
【図９】
2006187435.tif 000011
【図１０】
2006187435.tif 000012